(57)【要約】【課題】異なるモードに遷移するとき、ユーザの操作が簡便になるようにする。【解決手段】  操作部５７は、動画像を撮影するときに操作される動画像撮影ボタンと、静止画像を撮影するときに操作される静止画像撮影ボタンを備える。動画像撮影ボタンが操作されたとき、動画像を撮影するためのモードに設定されていなかった場合、撮影部５２が動画像を撮影するときの画素数などに設定され、入出力信号処理部５３が撮影部５２からの動画像信号を入力するように設定され、符号復号化部５４が入出力信号処理部５３からの動画像信号を所定の符号化方式で符号化するように設定され、媒体読み書き部５１が記録再生用ワークメモリ５５を介して符号復号化部５４から供給される動画像データを記録媒体４１に書き込むように設定される。本発明は、デジタルビデオカメラに適用することができる。【選択図】図３
2007028369.tif 000002
【特許請求の範囲】
【請求項１】
動画像を撮影する動画像撮影モード、静止画像を撮影する静止画像撮影モード、および、前記動画像または前記静止画像を再生する再生モードを有する画像処理装置において、
前記動画像を撮影するときに操作される第１の操作手段と、
前記静止画像を撮影するときに操作される第２の操作手段と、
前記第１の操作手段が操作されたとき、前記動画像撮影モードであった場合、前記動画像の撮影を開始する動画像撮影手段と、
前記第１の操作手段が操作されたとき、前記静止画像撮影モードまたは前記再生モードであった場合、前記動画像撮影手段による撮影が開始できる前記動画像撮影モードに遷移する動画像撮影モード遷移手段と、
前記第２の操作手段が操作されたとき、前記静止画像撮影モードであった場合、前記静止画像の撮影を開始する静止画像撮影手段と、
前記第２の操作手段が操作されたとき、前記動画像撮影モードまたは前記再生モードであった場合、前記静止画像撮影手段による撮影が開始できる前記静止画像撮影モードに遷移する静止画像撮影モード遷移手段と
を備える画像処理装置。
【請求項２】
前記第１の操作手段と前記第２の操作手段は、異なる位置に設けられる
請求項１に記載の画像処理装置。
【請求項３】
前記第１の操作手段と前記第２の操作手段と異なる位置に、前記動画像撮影モード、前記静止画像撮影モード、および、前記再生モードを切り替える際に操作される第３の操作手段を
さらに備える画像処理装置。
【請求項４】
動画像を撮影する動画像撮影モード、静止画像を撮影する静止画像撮影モード、および、前記動画像または前記静止画像を再生する再生モードを有する画像処理装置の画像処理方法において、
前記動画像を撮影するときに操作される第１の操作手段が操作されたとき、前記動画像撮影モードであった場合、前記動画像の撮影を開始する動画像撮影ステップと、
前記第１の操作手段が操作されたとき、前記静止画像撮影モードまたは前記再生モードであった場合、前記動画像撮影ステップの処理による撮影が開始できる前記動画像撮影モードに遷移する動画像撮影モード遷移ステップと、
前記静止画像を撮影するときに操作される前記第２の操作手段が操作されたとき、前記静止画像撮影モードであった場合、前記静止画像の撮影を開始する静止画像撮影ステップと、
前記第２の操作手段が操作されたとき、前記動画像撮影モードまたは前記再生モードであった場合、前記静止画像撮影ステップの処理による撮影が開始できる前記静止画像撮影モードに遷移する静止画像撮影モード遷移ステップと
を含む画像処理方法。
【請求項５】
動画像を撮影する動画像撮影モード、静止画像を撮影する静止画像撮影モード、および、前記動画像または前記静止画像を再生する再生モードを有する画像処理装置を制御するコンピュータのプログラムであって、
前記動画像を撮影するときに操作される第１の操作手段が操作されたとき、前記動画像撮影モードであった場合、前記動画像の撮影を開始する動画像撮影ステップと、
前記第１の操作手段が操作されたとき、前記静止画像撮影モードまたは前記再生モードであった場合、前記動画像撮影ステップの処理による撮影が開始できる前記動画像撮影モードに遷移する動画像撮影モード遷移ステップと、
前記静止画像を撮影するときに操作される前記第２の操作手段が操作されたとき、前記静止画像撮影モードであった場合、前記静止画像の撮影を開始する静止画像撮影ステップと、
前記第２の操作手段が操作されたとき、前記動画像撮影モードまたは前記再生モードであった場合、前記静止画像撮影ステップの処理による撮影が開始できる前記静止画像撮影モードに遷移する静止画像撮影モード遷移ステップと
を含むプログラム。
【請求項６】
画像データを処理する画像処理装置において、
前記画像データを処理する複数のモードを有し、
前記複数のモードのうちの第１のモードに設定されているときに、第１のモードのときに操作される操作部材が操作された場合、前記第１のモードのときに実行される処理を実行し、
前記複数のモードのうちの前記第２のモードに設定されているときに、前記第１のモードのときに操作される操作部材が操作された場合、前記第１のモードに遷移する
画像処理装置。
【請求項７】
前記第１のモードは、前記画像データを記録するモードであり、
前記第２のモードは、前記画像データを再生するモードである
請求項６に記載の画像処理装置。
【請求項８】
前記複数のモードは、更に第３のモードを含み、
前記第３のモードは、前記第１のモードとは異なる画像データを記録するモードである
請求項７に記載の画像処理装置。
【請求項９】
前記第１のモードの時に操作される操作部材と、前記第３のモードの時に操作される操作部材とが異なる位置に配置されている
請求項８に記載の画像処理装置。
【請求項１０】
前記第１のモードは静止画像を撮影する静止画像撮影モードであり、前記第３のモードは動画像を撮影する動画像撮影モードであり、前記第２のモードは動画像または静止画像を再生する再生モードである
請求項８に記載の画像処理装置。
【請求項１１】
前記画像データは、動画像の画像データまたは静止画像の画像データであり、
前記操作部材は、前記動画像を撮影するときに操作される第１の操作部材と前記静止画像を撮影するときに操作される第２の操作部材とから構成され、
前記第１の操作部材と前記第２の操作部材は、異なる位置に備えられる
請求項６に記載の画像処理装置。
【請求項１２】
前記複数のモードは、前記動画像を撮影するときの動画像撮影モード、前記静止画像を撮影するときの静止画像撮影モード、および、前記動画像または静止画像を再生する再生モードである
請求項１１に記載の画像処理装置。
【請求項１３】
画像データを処理する画像処理装置の画像処理方法において、
前記画像データを処理する複数のモードを有し、
前記複数のモードのうちの第１のモードに設定されているときに、第１のモードのときに操作される操作部材が操作された場合、前記第１のモードのときに実行される処理を実行し、
前記複数のモードのうちの前記第２のモードに設定されているときに、前記第１のモードのときに操作される操作部材が操作された場合、前記第１のモードに遷移する
画像処理方法。
【請求項１４】
画像データを処理する画像処理装置を制御するコンピュータのプログラムであって、
前記画像データを処理する複数のモードを有し、
前記複数のモードのうちの第１のモードに設定されているときに、第１のモードのときに操作される操作部材が操作された場合、前記第１のモードのときに実行される処理を実行し、
前記複数のモードのうちの前記第２のモードに設定されているときに、前記第１のモードのときに操作される操作部材が操作された場合、前記第１のモードに遷移する
プログラム。
【発明の詳細な説明】
【技術分野】
【０００１】
本発明は、画像処理装置および方法、並びにプログラムに関し、特に、動画像を記録するモード、静止画像を記録するモード、動画像や静止画像を再生するモードなどの複数のモードを有し、それらのモード間を遷移する際に用いて好適な画像処理装置および方法、並びにプログラムに関する。
【背景技術】
【０００２】
デジタルスチルカメラやデジタルビデオカメラが、一般的に普及している。一般的にデジタルスチルカメラは、静止画像を撮影し、記録するための装置であり、デジタルビデオカメラは、動画像を撮影し、記録するための装置である。近年、デジタルスチルカメラに分類される装置でも、動画像を撮影し、記録できる装置が普及しつつある。また、同様に、デジタルビデオカメラに分類される装置でも、静止画像を撮影し、記録できる装置が普及しつつある。
【０００３】
このように、静止画像と動画像を１台の装置で撮影できる装置（以下、適宜デジタルカメラと記述する）が普及しつつある。また、このようなデジタルカメラでは、撮影され、記録された静止画像や動画像を再生できる機能も、一般的に備えられている。
【０００４】
このように、静止画像を撮影するモード、動画像を撮影するモード、および再生するモードを備えたデジタルカメラにおいては、それらのモードを切り替えるために、例えば、図１Ａや図１Ｂに示すようなスイッチを有していることが多い。（例えば、特許文献１参照）
【０００５】
図１Ａに示したスイッチ１１は、ユーザが図中下側にスライドさせることができるように構成されており、かつ、スライドされた後、元の位置に戻るように構成されている。このようなスイッチ１１を備えるビデオカメラは、スイッチ１１が操作される毎に、モードが切り替えられるように構成されている。ユーザに、どのモードであるかを示すためのランプ１２−１乃至１２−３が、スイッチ１１の近傍に設けられている（図１Ａではスイッチ１１の図中右側）。
【０００６】
ランプ１２−１乃至１２−３は、例えば、ＬＥＤ（Light Emitting Diode）などの発光素子で構成されることが多い。そして、スイッチ１１の操作に応じたモードのランプが点灯するように構成されている。例えば、図１Ａに示した例では、ランプ１２−１が点灯しているときには、動画像モードであることを示し、ランプ１２−２が点灯しているときには、静止画像モードであることを示し、ランプ１２−３が点灯しているときには、再生モードであることが示されていることになる。ランプ１２−１乃至１２−３のいずれのランプも点灯していないときには、ビデオカメラの電源がオフの状態であることを示す。
【０００７】
ビデオカメラの電源がオフの状態のときに、スイッチ１１が、下方向に一回スライドされると、動画像モードの状態になる。動画モードの状態にされると、ランプ１２−１が点灯される。動画モードの状態のときに、さらに、スイッチ１１が操作されると、静止画像モードの状態に遷移され、ランプ１２−１が消灯され、ランプ１２−２が点灯される。
【０００８】
このように、スイッチ１１の操作回数に応じて、電源オフの状態から動画像モードの状態へ、動画像モードの状態から静止画像モードの状態へ、静止画像モードの状態から再生モードの状態へ、そして、再生モードの状態から電源オフの状態へと遷移される。
【０００９】
このように、ビデオカメラは、スイッチ１１の操作回数に応じてモードが遷移するように構成されている。また、同様に、モードが遷移するように構成されているビデオカメラにおいても、他のスイッチを備えている場合もある。例えば、図１Ｂに示すようなスイッチ１３が備えられたビデオカメラもある。
【００１０】
図１Ｂに示すようなスイッチ１３は、図中下側方向にスライドするように構成されており、スライド先の位置（スイッチ１３が位置するところ）に応じたモードに、ビデオカメラのモードが設定されるように構成されている。すなわち、図１Ｂに示したスイッチ１３は、段階的にスライドするように構成されており、例えば、スイッチ１３が、下方向に一段階スライドされると、動画像モードの状態にされる。
【００１１】
動画モードの状態から、さらにスイッチ１３が１段階下方向にスライドされると、静止画像モードの状態にされる。そして、静止画像モードの状態からさらに、スイッチ１３が１段階下方向にスライドされると、再生モードの状態にされる。このスイッチ１３は、上方向にもスライドできる（元の位置に戻すことができる）ように構成されている。例えば、スイッチ１３が、動画像モードの位置に位置しているときに、上方向にスライドされると、電源オフの状態に遷移するように構成されている。
【００１２】
このように、スイッチ１３の位置に応じてモードが遷移するように構成されているビデオカメラもある。
【特許文献１】特開２００１―１１１９５８号公報
【発明の開示】
【発明が解決しようとする課題】
【００１３】
ところで、近年のビデオカメラは、小型化が進んできている。そのために、図１Ａや図１Ｂに示したスイッチ１１，１３が小さいサイズで構成され、“動画像”といったモードを表す言葉も小さい文字で表記されている。また、図１Ａに示したようなランプ１２−１乃至１２−３が備えられている場合、それらのランプも小さいサイズで構成される。
【００１４】
ユーザは、小さいサイズのランプ１２−１乃至１２−３やモードを表す表示を見て、どのモードに設定されているかを判断するわけだが、小さいために見づらく、誤った判断を行ってしまう可能性があった。例えば、ビデオカメラは、静止画像モード（例えば、図１Ａにおいてランプ１２−２が点灯している状態）に設定されている状態であるのに、ユーザは、どのランプが点灯しているかを正しく認識できずに、動画像モードに設定されている状態であると誤った判断を行ってしまう可能性があった。
【００１５】
誤った判断をしてしまったために、例えば、動画像で記録したかった場面が、静止画像で記録されてしまうといったようなことが発生する可能性があり、ユーザが撮影したい動画像や静止画像を撮影し損なってしまう可能性があった。
【００１６】
また、再生モードの時に、とっさに、撮影したい場面にでくわした場合、ユーザは、スイッチ１１（またはスイッチ１３）を操作し、モードを切り替えた後、撮影を開始しなくてはならなかった。モードを切り替える際、上記したように、間違ったモードを選択してしまう可能性があり、また正しいモードが選択できたとしても、モードの切り換えの操作に係る時間のために、ユーザが撮影したい場面を撮影し損なってしまう可能性があった。
【００１７】
本発明はこのような状況に鑑みてなされたものであり、モードの切り換えを簡便にできるようにする。
【課題を解決するための手段】
【００１８】
本発明の画像処理装置の第１の側面は、動画像を撮影する動画像撮影モード、静止画像を撮影する静止画像撮影モード、および、前記動画像または前記静止画像を再生する再生モードを有する画像処理装置であって、前記動画像を撮影するときに操作される第１の操作手段と、前記静止画像を撮影するときに操作される第２の操作手段と、前記第１の操作手段が操作されたとき、前記動画像撮影モードであった場合、前記動画像の撮影を開始する動画像撮影手段と、前記第１の操作手段が操作されたとき、前記静止画像撮影モードまたは前記再生モードであった場合、前記動画像撮影手段による撮影が開始できる前記動画像撮影モードに遷移する動画像撮影モード遷移手段と、前記第２の操作手段が操作されたとき、前記静止画像撮影モードであった場合、前記静止画像の撮影を開始する静止画像撮影手段と、前記第２の操作手段が操作されたとき、前記動画像撮影モードまたは前記再生モードであった場合、前記静止画像撮影手段による撮影が開始できる前記静止画像撮影モードに遷移する静止画像撮影モード遷移手段とを備える。
【００１９】
前記第１の操作手段と前記第２の操作手段は、異なる位置に設けられるようにすることができる。
【００２０】
前記第１の操作手段と前記第２の操作手段と異なる位置に、前記動画像撮影モード、前記静止画像撮影モード、および、前記再生モードを切り替える際に操作される第３の操作手段をさらに備えるようにすることができる。
【００２１】
本発明の画像処理方法またはプログラムの第１の側面は、動画像を撮影する動画像撮影モード、静止画像を撮影する静止画像撮影モード、および、前記動画像または前記静止画像を再生する再生モードを有する画像処理装置の画像処理方法またはプログラムであって、前記動画像を撮影するときに操作される第１の操作手段が操作されたとき、前記動画像撮影モードであった場合、前記動画像の撮影を開始する動画像撮影ステップと、前記第１の操作手段が操作されたとき、前記静止画像撮影モードまたは前記再生モードであった場合、前記動画像撮影ステップの処理による撮影が開始できる前記動画像撮影モードに遷移する動画像撮影モード遷移ステップと、前記静止画像を撮影するときに操作される前記第２の操作手段が操作されたとき、前記静止画像撮影モードであった場合、前記静止画像の撮影を開始する静止画像撮影ステップと、前記第２の操作手段が操作されたとき、前記動画像撮影モードまたは前記再生モードであった場合、前記静止画像撮影ステップの処理による撮影が開始できる前記静止画像撮影モードに遷移する静止画像撮影モード遷移ステップとを含む。
【００２２】
本発明の第１の側面においては、動画像撮影モード、静止画像撮影モード、および、再生モードといった異なるモードが設定されるとき、ユーザが所望するモードに設定されていなくても、ユーザが、所望するモードに対応する操作手段を操作することにより、ユーザが所望したモードに遷移される。
【００２３】
本発明の画像処理装置の第２の側面は、画像データを処理する画像処理装置であって、前記画像データを処理する複数のモードを有し、前記複数のモードのうちの第１のモードに設定されているときに、第１のモードのときに操作される操作部材が操作された場合、前記第１のモードのときに実行される処理を実行し、前記複数のモードのうちの前記第２のモードに設定されているときに、前記第１のモードのときに操作される操作部材が操作された場合、前記第１のモードに遷移する。
【００２４】
前記第１のモードは、前記画像データを記録するモードであり、前記第２のモードは、前記画像データを再生するモードであるようにすることができる。
【００２５】
前記複数のモードは、更に第３のモードを含み、前記第３のモードは、前記第１のモードとは異なる画像データを記録するモードであるようにすることができる。
【００２６】
前記第１のモードの時に操作される操作部材と、前記第３のモードの時に操作される操作部材とが異なる位置に配置されているようにすることができる。
【００２７】
前記第１のモードは静止画像を撮影する静止画像撮影モードであり、前記第３のモードは動画像を撮影する動画像撮影モードであり、前記第２のモードは動画像または静止画像を再生する再生モードであるようにすることができる。
【００２８】
前記画像データは、動画像の画像データまたは静止画像の画像データであり、前記操作部材は、前記動画像を撮影するときに操作される第１の操作部材と前記静止画像を撮影するときに操作される第２の操作部材とから構成され、前記第１の操作部材と前記第２の操作部材は、異なる位置に備えられるようにすることができる。
【００２９】
前記複数のモードは、前記動画像を撮影するときの動画像撮影モード、前記静止画像を撮影するときの静止画像撮影モード、および、前記動画像または静止画像を再生する再生モードであるようにすることができる。
【００３０】
本発明の画像処理方法またはプログラムの第２の側面は、画像データを処理する画像処理装置の画像処理方法またはプログラムであって、前記画像データを処理する複数のモードを有し、前記複数のモードのうちの第１のモードに設定されているときに、第１のモードのときに操作される操作部材が操作された場合、前記第１のモードのときに実行される処理を実行し、前記複数のモードのうちの前記第２のモードに設定されているときに、前記第１のモードのときに操作される操作部材が操作された場合、前記第１のモードに遷移する。
【００３１】
本発明の第２の側面においては、ユーザが所望したモードとは異なるモードに設定されているときには、ユーザが所望するモードに、ユーザが、所望するモードに対応する操作部材を操作することで遷移される。
【発明の効果】
【００３２】
本発明の一側面によれば、複数のモードを有する装置におけるモードの遷移を、ユーザが間違いなく行えるようにすることができる。
【発明を実施するための最良の形態】
【００３３】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３４】
本発明の画像処理装置の第１の側面は、動画像を撮影する動画像撮影モード、静止画像を撮影する静止画像撮影モード、および、前記動画像または前記静止画像を再生する再生モードを有する画像処理装置（例えば、図２の画像処理装置１１）であって、前記動画像を撮影するときに操作される第１の操作手段（例えば、図２の動画像撮影ボタン２２）と、前記静止画像を撮影するときに操作される第２の操作手段（例えば、静止画像撮影ボタン２３）と、前記第１の操作手段が操作されたとき、前記動画像撮影モードであった場合、前記動画像の撮影を開始する動画像撮影手段（例えば、図６のフローチャートの処理を実行する図３に示した画像処理装置１１）と、前記第１の操作手段が操作されたとき、前記静止画像撮影モードまたは前記再生モードであった場合、前記動画像撮影手段による撮影が開始できる前記動画像撮影モードに遷移する動画像撮影モード遷移手段（例えば、図７のフローチャートの処理を実行する図３に示した画像処理装置１１）と、前記第２の操作手段が操作されたとき、前記静止画像撮影モードであった場合、前記静止画像の撮影を開始する静止画像撮影手段（例えば、図８のフローチャートの処理を実行する図３に示した画像処理装置１１）と、前記第２の操作手段が操作されたとき、前記動画像撮影モードまたは前記再生モードであった場合、前記静止画像撮影手段による撮影が開始できる前記静止画像撮影モードに遷移する静止画像撮影モード遷移手段（例えば、図９のフローチャートの処理を実行する図３に示した画像処理装置１１）とを備える。
【００３５】
前記第１の操作手段と前記第２の操作手段と異なる位置に、前記動画像撮影モード、前記静止画像撮影モード、および、前記再生モードを切り替える際に操作される第３の操作手段（例えば、図２のスイッチ２１）をさらに備える。
【００３６】
本発明の画像処理方法またはプログラムの第１の側面は、動画像を撮影する動画像撮影モード、静止画像を撮影する静止画像撮影モード、および、前記動画像または前記静止画像を再生する再生モードを有する画像処理装置の画像処理方法またはプログラムであって、前記動画像を撮影するときに操作される第１の操作手段が操作されたとき、前記動画像撮影モードであった場合、前記動画像の撮影を開始する動画像撮影ステップ（例えば、図６のフローチャートの処理）と、前記第１の操作手段が操作されたとき、前記静止画像撮影モードまたは前記再生モードであった場合、前記動画像撮影ステップの処理による撮影が開始できる前記動画像撮影モードに遷移する動画像撮影モード遷移ステップ（例えば、図７のフローチャートの処理）と、前記静止画像を撮影するときに操作される前記第２の操作手段が操作されたとき、前記静止画像撮影モードであった場合、前記静止画像の撮影を開始する静止画像撮影ステップ（例えば、図８のフローチャートの処理）と、前記第２の操作手段が操作されたとき、前記動画像撮影モードまたは前記再生モードであった場合、前記静止画像撮影ステップの処理による撮影が開始できる前記静止画像撮影モードに遷移する静止画像撮影モード遷移ステップ（例えば、図９のフローチャートの処理）とを含む。
【００３７】
本発明の画像処理装置の第２の側面は、画像データを処理する画像処理装置（例えば、図３に示した画像処理装置１１）であって、前記画像データを処理する複数のモードを有し、前記複数のモードのうちの第１のモードに設定されているときに、第１のモードのときに操作される操作部材が操作された場合、前記第１のモードのときに実行される処理を実行し（例えば、図６または図８に示したフローチャートの処理を実行する画像処理装置１１）、前記複数のモードのうちの前記第２のモードに設定されているときに、前記第１のモードのときに操作される操作部材が操作された場合、前記第１のモードに遷移する（例えば、図７または図９に示したフローチャートの処理を実行する画像処理装置１１）。
【００３８】
本発明の画像処理方法またはプログラムの第２の側面は、画像データを処理する画像処理装置の画像処理方法またはプログラムであって、前記画像データを処理する複数のモードを有し、前記複数のモードのうちの第１のモードに設定されているときに、第１のモードのときに操作される操作部材が操作された場合、前記第１のモードのときに実行される処理を実行し（例えば、図６または図８に示したフローチャートの処理）、前記複数のモードのうちの前記第２のモードに設定されているときに、前記第１のモードのときに操作される操作部材が操作された場合、前記第１のモードに遷移する（例えば、図７または図９に示したフローチャートの処理）。
【００３９】
以下に、本発明の実施の形態について図面を参照して説明する。
【００４０】
［画像処理装置の構成例］
図２は、本発明を適用した画像処理装置の一実施の形態の外観の構成を示す図である。図２に示した画像処理装置１１は、静止画像や動画像を撮影し、記録する機能を有している。また、記録された静止画像や動画像を再生できる機能も有している。図２に示した画像処理装置１１の外観の構成は、画像処理装置１１の背面（ユーザが動画像や静止画像を撮影する際に、通常、ユーザ側に向けられる面）を示す。
【００４１】
画像処理装置１１は、動画像を撮影するモード（以下、適宜、動画像撮影モードと記述する）、静止画像を撮影するモード（以下、適宜、静止画像撮影モードと記述する）、および、記録されている動画像や静止画像を再生するモード（以下、適宜、再生モードと記述する）を切り替えるためのスイッチ２１が備えられている。
【００４２】
これらのモードのうちのいずれかのモードに画像処理装置１１が設定されている状態を電源がオンの状態であると記述する。スイッチ２１は、画像処理装置１１の電源をオン、オフの状態に切り替えるときにも操作される。スイッチ２１は、例えば、図１Ａに示したスイッチ１１と同様の構成とすることが可能である。
【００４３】
画像処理装置１１は、動画像を撮影するときに操作されるボタンと静止画像を撮影するときに操作されるボタンが、別々に設けられている。図２に示すように、動画像を撮影するとき操作される動画像撮影ボタン２２は、スイッチ２１に対して図中左側に設けられている。静止画像を撮影するときに操作される静止画像撮影ボタン２３は、スイッチ２１に対して図中上側に設けられている。
【００４４】
このように、画像処理装置１１は、モードを切り替えるためのスイッチ２１、動画像撮影ボタン２２、および静止画像撮影ボタン２３を備える構成とされる。なお、図２に示した画像処理装置１１の外観の構成は、以下の説明に必要となる部分を図示し、説明を加えたが、また、画像処理装置１１の側面などの図示や説明を加えないが、画像処理装置１１の側面などには、例えば、被写体を撮影するためのレンズや、ユーザに対して情報や撮影されている画像を表示する表示部などが勿論備えられている。
【００４５】
図３は、画像処理装置１１の内部構成例を示す図である。画像処理装置１１には、撮影された動画像や静止画像を記憶し、画像処理装置１１に対して着脱自在の記録媒体４１が装着される。記録媒体４１は、例えば、磁気ディスク（例えば、フレキシブルディスクなど）、光ディスク（例えば、CD-ROM（Compact Disc-Read Only Memory），DVD（Digital Versatile Disc）など）、光磁気ディスク（MD（Mini-Disc）（登録商標）など）、半導体メモリ（例えば、メモリースティック（商標）など）などである。
【００４６】
媒体読み書き部５１は、記録媒体４１に対してデータの書き込みを行い、また、記録媒体４１からデータの読み出しを行う。媒体読み書き部５１により、記録媒体４１に書き込まれるデータは、撮影部５２により撮影された動画像または静止画像に関するデータである。撮影部５２は、レンズやそのレンズを駆動させる駆動部（いずれも不図示）などを含む構成とされている。
【００４７】
撮影部５２により撮影された画像の信号は、入出力信号処理部５３に供給される。すなわち、撮影部５２は、外界の視覚情報を画像信号に変換し、その画像信号を入出力信号処理部５３に供給する。入出力信号処理部５３は、撮影部５２からの動画像の信号や静止画像の信号を、符号復号化部５４に供給する。符号化復号化部５４は、入出力信号処理部５３から信号が供給された場合、所定の符号化方式で、供給された信号を符号化する。所定の符号化方式とは、例えば、動画像の信号の場合、ＭＰＥＧ（Moving Picture Expert Group）方式であり、静止画像の信号の場合、ＪＰＥＧ（Joint Photographic Experts Group）方式である。
【００４８】
符号復号化部５４は、供給された信号が動画像信号の場合、所定の符号化方式でビデオストリームとオーディオストリームに符号化し、さらにそれらのストリームを多重化し、データストリームを生成する。また、符号復号化部５４は、供給された信号が静止画像信号の場合、所定の方式で符号化した静止画像データを生成する。
【００４９】
符号復号化部５４により生成された動画像データや静止画像データは、記録再生用ワークメモリ５５に供給される。この記録再生用ワークメモリ５５は、媒体読み書き部５１に供給する（記録媒体４１に書き込む）動画像データや静止画像データを一旦（必要に応じ）保持しておくための記憶部である。記録再生用ワークメモリ５５に保持されたデータは、媒体読み書き部５１に供給され、記録媒体４１に書き込まれる。
【００５０】
記録媒体４１に書き込まれているデータが再生される場合、媒体読み書き部５１により記憶媒体４１からデータが読み出される。読み出されるデータは、ユーザにより指示された動画像や静止画像に対応する動画像データや静止画像データである。媒体読み書き部５１により読み出されたデータは、記録再生用ワークメモリ５５に供給される。記録再生用ワークメモリ５５に保持されたデータは、符号復号化部５４に供給される。
【００５１】
符号復号化部５４に供給されるデータが、動画像データである場合、その動画像データは、所定の符号化方式（例えば、ＭＰＥＧ）で符号化され、多重化されたビデオストリームとオーディオストリームである。符号復号化部５４に供給されるデータが、静止画像データである場合、その静止画像データは、所定の符号化方式（例えば、ＪＰＥＧ）で符号化されたデータである。
【００５２】
符号復号化部５４は、動画像データが供給された場合、その動画像データ（データストリーム）中のビデオストリームとオーディオストリームを分離し、それぞれのストリームを所定の復号方式で復号する。復号されたストリームの信号は、それぞれ入出力信号処理部５３に供給される。符号復号化部５４は、静止画像データが供給された場合、その静止画像データを所定の復号方式で復号する。復号された静止画像の信号は、入出力信号処理部５３に供給される。
【００５３】
入出力信号処理部５３に供給された動画像の信号（復号されたビデオストリームの信号）、または、静止画像の信号は、表示部５６に供給される。表示部５６は、供給された動画像の信号やし絵師画像の信号に基づく画像を表示する。表示部５６は、例えば、ＬＣＤ（Liquid Crystal Display）などで構成される。なお、図３には図示していないが、スピーカなど音を発する装置も備えられ、入出力信号処理部５３に供給された復号されたオーディオストリームの信号は、スピーカに対して供給される。
【００５４】
画像処理装置１１には、スイッチ２１、動画像撮影用ボタン２２、静止画像撮影用ボタン２３などを含み、ユーザにより操作され、ユーザからの指示を受け付ける操作部５７も備えられている。
【００５５】
記録再生制御部５８は、符号復号化処理部５４における符号化処理や復号化処理、媒体読み書き部５１による記録媒体４１からのデータの読み出しや書き込みの処理を制御する。記録再生制御部５８は、プロセッサ５９、入出力インターフェース６０、ＲＯＭ（Read Only Memory）６１、ＲＡＭ（Random Access Memory）６２から構成されている。記録再生制御部５８内の各部は、それぞれバスで接続され、相互にデータの授受が行えるように構成されている。
【００５６】
プロセッサ５９は、フローチャートを参照して後述するように、例えば、符号復号化部５４の符号化処理の準備や開始などを制御する。また、プロセッサ５９は、入出力信号処理部５３の信号の入出力や、表示部５６の表示の制御も行う。さらに、プロセッサ５９は、媒体読み書き部５１の記録媒体４１からのデータの読み出しや書き込みの制御も行う。
【００５７】
入出力インターフェース６０は、外部とのデータのやり取りを行うために設けられている。例えば、ネットワークに接続する機能を有し、外部のコンピュータで管理されているデータをダウンロードしたりする。
【００５８】
ＲＯＭ６１は、プロセッサ５９により実行されるプログラムや各種のパラメータなどを保持しているメモリである。ＲＯＭ６１は、例えば、フラッシュメモリなどのＥＥＰＲＯＭ（Electrically Erasable and Programmable ROM）などにより構成される。
【００５９】
ＲＡＭ６２は、プロセッサ５９がプログラムを実行するのに必要な作業用のデータなどを保持するためのメモリである。ＲＡＭ６２は、例えば、ＳＲＡＭ（Static RAM）や、ＤＲＡＭ（Dynamic RAM）などで構成される。
【００６０】
［画像処理装置の動作について］
次に、図３のような内部構成を有する画像処理装置１１の動作について説明する。なお、以下の説明においては、動画像や静止画像を撮影するときの動作、特に、動画像モードや静止画像モードといったモードの遷移について説明する。上記したように、モードには、動画像を撮影する動画像撮影モード、静止画像を撮影する静止画像撮影モード、および、記録されている動画像や静止画像を再生する再生モードが、画像処理装置１１には備えられている。
【００６１】
また、上記したいずれかのモードのときは、画像処理装置１１の電源がオンの状態になっているときである。上記したいずれのモードにもなっていないときには、画像処理装置１１の電源はオフの状態であり、以下の説明においては、適宜、オフモードと記述する。
【００６２】
オフモード、動画像撮影モード、静止画像撮影モード、および、再生モードは、スイッチ２１により通常切り替えられる。すなわち、スイッチ２１が操作される毎に、例えば、オフモード、動画像撮影モード、静止画像撮影モード、再生モードの順に、順次切り替えられる（遷移する）。
【００６３】
本実施の形態においては、スイッチ２１における操作のみでモードが切り替えられるのではなく、動画像撮影ボタン２２や静止画像撮影ボタン２３が操作されることによってもモードが切り替えられるように構成されている。本実施の形態におけるモードの遷移について図４を参照して説明する。
【００６４】
再生モードのときに、静止画像撮影ボタン２３（図２）が操作されると、静止画像撮影モードに遷移される（遷移Ａ）。再生モードのときに、動画像撮影ボタン２２（図２）が操作されると、動画像撮影モードに遷移される（遷移Ｂ）。静止画像撮影モードのときに、動画像撮影ボタン２２（図２）が操作されると、動画像撮影モードに遷移される（遷移Ｃ）。動画像撮影モードのときに、静止画像撮影ボタン２３（図２）が操作されると、静止画像撮影モードに遷移される（遷移Ｄ）。
【００６５】
このように、動画像撮影ボタン２２や静止画像撮影ボタン２３が操作されると、その時点でのモードにかかわらず、操作されたボタンに対応するモードに遷移されるように、画像処理装置１１は構成されている。すなわち、ユーザは、スイッチ２１を操作しなくても、モードを切り替えることが可能とされている。このようにすることで、以下のような効果が期待できる。
【００６６】
従来、例えば、図１Ａに示したスイッチ１１を操作することによりモードが切り替えられていた。スイッチ１１の操作回数に応じて、オフモード、動画像撮影モード、静止画像撮影モードへと順次遷移されるように構成されていた。よって、ユーザは、例えば、再生モードの状態にされているときに、静止画像を撮影したいと所望した場合、スイッチ１１を操作し、オフモード、動画像撮影モード、静止画像撮影モードの順に切り替えていかなくてはならない。
【００６７】
また、その切り換えの際、ＬＣＤ１２−１乃至１２−３（図１Ａ）のどのＬＣＤ１２が点灯しているかを確認し、静止画像撮影モードに切り替えなくてはならない。しかしながら、ＬＣＤ１２は小さいため、点灯しているＬＣＤ１２が静止画像撮影モードに設定されているときに点灯するＬＣＤ１２であるかを確認しづらい場合があり、例えば、動画像撮影モードのときに点灯するＬＣＤ１２−１が点灯しているのにもかかわらず、静止画像撮影モードのときに点灯するＬＣＤ１２−２が点灯していると間違った判断をしてしまう可能性がある。そして、そのような誤った状態（動画像撮影モードの状態）のときに、ユーザが静止画像を撮影するために静止画像撮影ボタン２３を操作しても、静止画像は撮影されない。結果として、ユーザは、静止画像を撮影できないことになる。
【００６８】
また、ユーザが静止画像の撮影を所望し、静止画像撮影モードに正しく設定したとしても、その設定には、上記したようにスイッチ２１を操作し、どのＬＣＤ１２が点灯しているかを正しく判断するといった一連の操作をしなくてはならず、そのような操作をしている間に、シャッターチャンスを逃してしまう（撮影したい静止画像を撮影し損なってしまう）可能性がある。
【００６９】
しかしながら、本実施の形態を適用することで、例えば、ユーザが、再生モードのときに、とっさに静止画像の撮影を所望したような場合であっても、対応することが可能となる。すなわち、ユーザは、例えば、静止画像の撮影を所望した場合、静止画像の撮影を所望した時点での画像処理装置１１のモードを認識する必要がなく、スイッチ１１を操作する必要もなく、単に、静止画像撮影ボタン２３を操作するだけで、画像処理装置１１側が、静止画像撮影モードに遷移し、静止画像を撮影する状態になり、静止画像が撮影される。
【００７０】
ユーザが動画像の撮影を所望したときも、同様である。
【００７１】
よって、本実施の形態を適用した画像処理装置１１によれば、ユーザは、モードの切り換えを簡便に行うことが可能となる。また、モードの切り換えを簡便に行うことができるので、静止画像であっても、動画像であっても、ユーザが、撮影したい瞬間を逃すことなく撮影することが可能となる。
【００７２】
次に、このようなモードの切り換え（遷移）を可能とする画像処理装置１１の動作について、図５乃至図９のフローチャートを参照して説明する。なお、以下に説明する画像処理装置１１の動作は、オフモード以外のとき、すなわち、動画像撮影モード、静止画像撮影モード、または、再生モードのうちのいずれかのモードの状態に、画像処理装置１１が設定されているときに実行される動作である。
【００７３】
オフモードのときにも実行されるようにすることも可能であるが、後述するように、例えば、動画像撮影ボタン２２（図２）が操作されると、動画像撮影モードに遷移されるため、オフモードときにユーザの意に反して動画像撮影ボタン２２が操作されてしまうことにより、動画像が撮影されてしまようなことが発生する可能性がある。よって、このようなことが発生することが防ぐような手段を設ければ、以下に説明するモードの遷移に、オフモードも含まれるようにしても良い。
【００７４】
また、以下に説明する画像処理装置１１の動作は、動画像撮影ボタン２２か静止画像撮影ボタン２３（いずれも図２に記載）のいずれかが操作されたときの動作であり、他のボタン（不図示）（操作部５７を構成し、動画像撮影ボタン２２と静止画像撮影ボタン２３以外の操作部材）が操作されたときの処理については、本実施の形態と直接的な関係がないため説明を省略する。
【００７５】
ステップＳ１１において、プロセッサ５９（図３）は、操作部５７が操作されたか否かを判断する。ステップＳ１１において、操作部５７が操作されたと判断されるまで、待機状態が維持される。そして、ステップＳ１１において、操作部５７が操作されたと判断された場合、換言すれば、プロセッサ５９に、操作部５７から、何らかの信号が供給されたと判断された場合、ステップＳ１２に処理が進められる。
【００７６】
ステップＳ１２において、操作されたのは、動画像撮影ボタン２２（図２）であるか否かが判断される。プロセッサ５９は、操作部５７から供給された信号を解析し、どのボタンが操作されたのかを判断する。ステップＳ１２において、操作部５７のうち、操作されたのは動画像撮影ボタン２２であると判断された場合、ステップＳ１３に処理が進められる。
【００７７】
ステップＳ１３において、画像処理装置１１は、動画像撮影モードに設定されているか否かが判断される。動画像撮影モードに設定されているとは、動画像を撮影するのに適した設定、例えば、撮影部５２を構成する撮影素子（不図示）の画素数が、動画像を撮影するときの画素数に設定されている、符号復号化部５４の符号化方式が、動画像を符号化するときの方式（例えば、ＭＰＥＧ）に設定されているなどを意味する。
【００７８】
ステップＳ１３において、画像処理装置１１は、動画像撮影モードに設定されていると判断された場合、換言すれば、動画像を撮影するための準備ができている状態（動画像を撮影するための待機状態）であると判断された場合、ステップＳ１４に処理が進められる。ステップＳ１４において、動画像撮影処理が実行される。このステップＳ１４において実行される動画像撮影処理については、図６のフローチャートを参照して後述する。
【００７９】
一方、ステップＳ１３において、画像処理装置１１は、動画像撮影モードに設定されていないと判断された場合、換言すれば、静止画像撮影モードかまたは再生モードに設定されていると判断された場合、ステップＳ１５に処理が進められる。ステップＳ１５において、動画像撮影モードへの遷移処理が実行される。このステップＳ１５において実行される動画像撮影モードへの遷移処理とは、動画像を撮影するために適した設定（上記したような設定）に画像処理装置１１内の各部を設定する処理であることを意味する。このステップＳ１５において実行される動画像撮影モードへの遷移処理については、図７のフローチャートを参照して後述する。
【００８０】
一方、ステップＳ１２において、操作部５７（図３）を構成するボタンなどのうち、操作されたのは動画像撮影ボタン２２（図２）ではないと判断された場合、ステップＳ１６に処理が進められる。ステップＳ１６に処理が進められるのは、静止画像撮影ボタン２３が操作されたときである。
【００８１】
ステップＳ１６において、画像処理装置１１は、静止画像撮影モードに設定されているか否かが判断される。静止画像撮影モードに設定されているとは、静止画像を撮影するのに適した設定、例えば、撮影部５２を構成する撮影素子（不図示）の画素数が、静止画像を撮影するときの画素数に設定されている、符号復号化部５４の符号化方式が、静止画像を符号化するときの方式（例えば、ＪＰＥＧ）に設定されているなどを意味する。
【００８２】
ステップＳ１６において、画像処理装置１１は、静止画像撮影モードに設定されていると判断された場合、換言すれば、静止画像を撮影するための準備ができている状態（静止画像を撮影するための待機状態）であると判断された場合、ステップＳ１７に処理が進められる。ステップＳ１７において、静止画像撮影処理が実行される。このステップＳ１７において実行される静止画像撮影処理については、図８のフローチャートを参照して後述する。
【００８３】
一方、ステップＳ１６において、画像処理装置１１は、静止画像撮影モードに設定されていないと判断された場合、換言すれば、動画像撮影モードかまたは再生モードに設定されていると判断された場合、ステップＳ１８に処理が進められる。ステップＳ１８において、静止画像撮影モードへの遷移処理が実行される。このステップＳ１８において実行される静止画像撮影モードへの遷移処理とは、静止画像を撮影するために適した設定（上記したような設定）に画像処理装置１１内の各部を設定する処理であることを意味する。このステップＳ１８において実行される静止画像撮影モードへの遷移処理については、図９のフローチャートを参照して後述する。
【００８４】
図６のフローチャートを参照し、ステップＳ１４において実行される動画像撮影処理について説明する。この図６のフローチャートの動画像撮影処理が実行されるのは、動画像の撮影の開始または終了を指示する動画像撮影ボタン２２が操作され、その操作が行われたときに、動画像撮影モードに設定されていたとき（動画像を撮影するための待機状態のとき）である。
【００８５】
ステップＳ３１において、プロセッサ５９は、符号復号化部５４に対して、入出力信号処理部５３から供給される動画像信号を、予め設定されている動画像符号化方式で符号化を開始するように指示を出す。このような指示が出されることにより、符号復号化部５４は、供給される動画像信号を所定の方式（例えば、ＭＰＥＧ）で符号化する。また、符号復号化部５４により符号化された動画像データは、順次、記録再生用ワークメモリ５５を介して、媒体読み書き部５１に供給される。
【００８６】
ステップＳ３２において、媒体読み書き部５１は、記録再生用ワークメモリ５５を介して供給される動画像データを、記録媒体４１に書き込む。このようにして、動画像の撮影と記録媒体４１への記録が行われる。
【００８７】
次に、図７のフローチャートを参照し、ステップＳ１５（図５）において実行される動画像撮影モードへの遷移処理について説明する。この図７のフローチャートの動画像撮影モードへの遷移処理が実行されるのは、動画像の撮影の開始または終了を指示する動画像撮影ボタン２２が操作されたが、その操作が行われたときには、動画像撮影モードとは異なる静止画像撮影モードか再生モードに設定されていたとき（動画像を撮影するための待機状態ではないとき）である。
【００８８】
ステップＳ５１において、プロセッサ５９は、動画像撮影モード用の画面を、表示部５６（図２）に表示させる。動画像撮影モード用の画面とは、動画像撮影モードのときに、表示部５６に表示される文字やアイコンのことを意味する。
【００８９】
ステップＳ５２において、プロセッサ５９は、撮影部５２を動画像の撮影に最適な状態に設定する。例えば、撮影部５２の画角調整（撮影部５２を構成するデバイス（例えば、ＣＣＤやＣＭＯＳ）の画素数を、動画像の撮影時の値（範囲）に設定する）などが設定される。例えば、一般的に、動画像を撮影するときの画素数は、静止画像を撮影するときの画素数より少ないため、この処理が実行されるとき（図７のフローチャートの処理が開始された時点（以下、同様））に、静止画像撮影モードであった場合には、静止画像の撮影時の画素数から、動画像の撮影時の画素数に切り替えられるといった処理が行われる。また、この処理が実行されるときに、再生モードに設定されていた場合、撮影部５２が起動（動作可能な状態に）され、動画像の撮影時の画素数に設定されるといった処理などが実行される。
【００９０】
ステップＳ５３において、プロセッサ５９は、入力信号処理部５３を、撮影部５２からの動画像信号の入力待ちの状態に設定する。この処理が実行されるとき、静止画像撮影モードに設定されていた場合、入出力処理部５３は、撮影部５２からの静止画像信号の入力待ちの状態（静止画像をキャプチャする状態）なので、そのような状態から、連続的に入力される動画像信号の入力待ちの状態に切り替える。また、この処理が実行されるとき、再生モードに設定されていた場合、入出力信号処理部５３は、符号復号化部５４から供給される動画像信号または静止画像信号を表示部５６に供給している状態であるため、そのような状態から、撮影部５２から供給される動画像信号を符号復号化部５４に供給する状態に切り替える。
【００９１】
ステップＳ５４において、プロセッサ５９は、符号復号化部５４を、動画像の符号化方式として設定されている符号化方式で、入出力信号処理部５３から供給される動画像信号が符号化される状態に設定する。この処理が実行されるとき、静止画像撮影モードに設定されていた場合、符号復号化部５４は、静止画像信号の符号化方式に設定されているので、動画像信号の符号化方式に設定し直される。また、この処理が実行されるとき、再生モードに設定されていた場合、符号復号化部５４は、記録再生用ワークメモリ５５からのデータを復号するように設定されているため、その設定が、動画像信号を符号化する設定にされる。
【００９２】
ステップＳ５５において、媒体読み書き部５１が、記録媒体４１にデータを書き込みする状態に設定される。この処理が実行されるとき、静止画像撮影モードに設定されていた場合、記録媒体４１にデータが書き込まれる状態が維持される（ただし、静止画像データではなく、動画像データの書き込み状態に設定し直される）。この処理が実行されるとき、再生モードに設定されていた場合、媒体読み書き部５１は、記録媒体４１からデータを読み出している状態であったので、その読み出しの処理を中止し、書き込みの処理を実行できる状態に切り替えられる。
【００９３】
このようにして、動画像撮影ボタン２２が操作されたとき、動画像が撮影、記録できる状態（動画像撮影モード）へと、他のモードから遷移される。このように、動画像が撮影、記録できる状態になった後、再度ユーザが動画像撮影ボタン２２を操作すると、動画像の撮影、記録が開始される。
【００９４】
なお、ここでは、動画像撮影モード以外のモードに設定されていたときに、動画像撮影ボタン２２が操作されると、動画像撮影モードに遷移する（動画像を撮影するための待機状態に遷移する）としたが、動画像撮影モードに遷移し、さらに、撮影が開始されるようにしても良い。撮影が開始されるとは、既に説明した図６のフローチャートの処理が実行されることを意味する。すなわち、ステップＳ５５の処理が終了することにより、動画像を撮影するための状態にされたら、引き続き、ステップＳ３１とステップＳ３２の処理が行われるようにしても良い。
【００９５】
次に、図８のフローチャートを参照して、ステップＳ１７（図５）において実行される静止画像撮影処理について説明する。この図８のフローチャートの静止画像撮影処理が実行されるのは、静止画像の撮影を指示する静止画像撮影ボタン２３が操作され、その操作が行われたときに、静止画像撮影モードに設定されていたとき（静止画像を撮影するための待機状態のとき）である。
【００９６】
ステップＳ７１において、入力信号処理部５３は、撮影部５２から供給される画像信号をキャプチャする。キャプチャされる画像信号は、静止画像撮影ボタン２３が操作されたときに撮影部５２から供給される画像信号である。キャプチャされた画像信号は、符号復号化部５４に供給される。符号復号化部５４は、ステップＳ７２において、供給された画像信号を、予め設定されている静止画像用の符号化方式（例えば、ＪＰＥＧ）で符号化する。
【００９７】
ステップＳ７３において、符号復号化部５４による符号化が終了したか否かが判断される。ステップＳ７３において、符号復号化部５４による符号化が終了したと判断されるまで、すなわち、符号復号化部５４による符号化が終了するまで、ステップＳ７３における処理は繰り返され、符号化が終了したと判断されると、ステップＳ７４に処理が進められる。
【００９８】
ステップＳ７４において、符号復号化部５４により符号化された静止画像データは、記録再生用ワークメモリ５５を介して、媒体読み書き部５１に供給され、記録媒体４１に書き込まれる。このようにして、静止画像の撮影と、その撮影された静止画像のデータの記録媒体４１への記録が行われる。
【００９９】
次に、図９のフローチャートを参照し、ステップＳ１８（図５）において実行される静止画像撮影モードへの遷移処理について説明する。この図９のフローチャートの静止画像撮影モードへの遷移処理が実行されるのは、静止画像の撮影を指示する静止画像撮影ボタン２３が操作されたが、その操作が行われたときには、静止画像撮影モードとは異なる動画像撮影モードか再生モードに設定されていたとき（静止画像を撮影するための待機状態ではないとき）である。
【０１００】
ステップＳ９１において、プロセッサ５９は、静止画像撮影モード用の画面を、表示部５６（図２）に表示させる。静止画像撮影モード用の画面とは、静止画像撮影モードのときに、表示部５６に表示される文字やアイコンのことを意味する。
【０１０１】
ステップＳ９２において、プロセッサ５９は、撮影部５２を静止画像の撮影に最適な状態に設定する。例えば、撮影部５２の画角調整（撮影部５２を構成するデバイス（例えば、ＣＣＤやＣＭＯＳ）の画素数を、静止画像の撮影時の値（範囲）に設定する）などが設定される。例えば、一般的に、静止画像を撮影するときの画素数は、動画像を撮影するときの画素数より多いため、この処理が実行されるとき（図９のフローチャートの処理が開始された時点（以下、同様））に、動画像撮影モードであった場合には、動画像の撮影時の画素数から、静止画像の撮影時の画素数に切り替えられるといった処理が行われる。また、この処理が実行されるときに、再生モードに設定されていた場合、撮影部５２が起動（動作可能な状態に）され、静止画像の撮影時の画素数に設定されるといった処理などが実行される。
【０１０２】
ステップＳ９３において、プロセッサ５９は、入力信号処理部５３を、撮影部５２からの静止画像信号の入力待ちの状態（キャプチャする状態）に設定する。この処理が実行されるとき、動画像撮影モードに設定されていた場合、入出力処理部５３は、撮影部５２からの動画像信号が連続的に入力される状態であり、そのような状態から、撮影部５２からの静止画像信号の入力待ちの状態（静止画像信号をキャプチャする状態）に切り替えられる。また、この処理が実行されるとき、再生モードに設定されていた場合、入出力信号処理部５３は、符号復号化部５４から供給される動画像信号または静止画像信号を表示部５６に供給している状態であり、そのような状態から、撮影部５２から供給される静止画像信号を符号復号化部５４に供給する状態に切り替えられる。
【０１０３】
ステップＳ９４において、プロセッサ５９は、符号復号化部５４を、静止画像の符号化方式として設定されている符号化方式で、入出力信号処理部５３から供給される静止画像信号が符号化される状態に設定する。この処理が実行されるとき、動画像撮影モードに設定されていた場合、符号復号化部５４は、動画像信号の符号化方式に設定されているので、静止画像信号の符号化方式に設定し直される。また、この処理が実行されるとき、再生モードに設定されていた場合、符号復号化部５４は、記録再生用ワークメモリ５５からのデータを復号するように設定されているため、その設定が、静止画像信号を符号化する設定に切り替えられる。
【０１０４】
ステップＳ９５において、媒体読み書き部５１が、記録媒体４１にデータを書き込みする状態に設定される。この処理が実行されるとき、動画像撮影モードに設定されていた場合、記録媒体４１にデータが書き込まれる状態が維持される（ただし、動画像データではなく、静止画像データの書き込み状態に設定し直される）。この処理が実行されるとき、再生モードに設定されていた場合、媒体読み書き部５１は、記録媒体４１からデータを読み出している状態であったので、その読み出しの処理を中止し、書き込みの処理を実行できる状態に切り替えられる。
【０１０５】
このようにして、静止画像撮影ボタン２３が操作されたとき、静止画像が撮影、記録できる状態（静止画像撮影モード）へと、他のモードから遷移される。このように、静止画像が撮影、記録できる状態になった後、再度ユーザが静止画像撮影ボタン２３を操作すると、静止画像の撮影、記録が開始される（行われる）。
【０１０６】
なお、ここでは、静止画像撮影モード以外のモードに設定されていたときに、静止画像撮影ボタン２３が操作されると、静止画像撮影モードに遷移する（静止画像を撮影するための待機状態に遷移する）としたが、静止画像撮影モードに遷移し、さらに、撮影が実行されるようにしても良い。撮影が実行されるとは、既に説明した図８のフローチャートの処理が実行されることを意味する。すなわち、ステップＳ９５の処理が終了することにより、静止画像を撮影するための状態にされたら、引き続き、ステップＳ７１乃至Ｓ７４の処理が行われるようにしても良い。
【０１０７】
このように、本実施の形態によれば、ユーザは、スイッチ２１（図２）を操作することによりモードを切り替えることができるだけでなく、動画像撮影ボタン２２や静止画像撮影ボタン２３を操作することによっても、モードを切り替えることができる。
【０１０８】
動画像撮影ボタン２２や静止画像撮影ボタン２３は、図２に示すように、画像処理装置１１の異なる位置に備えられている。また、画像処理装置１１の操作部５７を構成するボタンなどのうち、動画像撮影ボタン２２や静止画像撮影ボタン２３は、比較的大きな部材（他のボタンと比較したときに大きな部材）で、また、ユーザが認識しやすい部分に、操作しやすい構造で構成されることが多い。よって、ユーザが、動画像を撮影したいときに、動画像撮影ボタン２２を操作し、静止画像を撮影したいときに、静止画像撮影ボタン２３を操作するという操作を、間違って行ってしまう可能性は低いと考えられる（例えば、動画像を撮影したいときに、静止画像撮影ボタン２３を操作してしまうといった可能性は低いと考えられる）。
【０１０９】
よって、ユーザが、動画像を撮影したいときには動画像撮影ボタン２２を操作すれば、そのときのモードがいかなるモードであっても、動画像を撮影するモードに遷移するので、使い勝手を向上させることが可能となる。使い勝手を向上させるとは、例えば、ユーザが動画像の撮影を所望したときに、モードを気にせずに即座に撮影を開始できることなどを意味する。
【０１１０】
同様に、ユーザが、静止画像を撮影したいときには静止画像撮影ボタン２３を操作すれば、そのときのモードがいかなるモードであっても、静止画像を撮影するモードに遷移するので、使い勝手を向上させることが可能となる。この場合も、使い勝手を向上させるとは、例えば、ユーザが静止画像の撮影を所望したときに、モードを気にせずに即座に撮影できることなどを意味する。
【０１１１】
このように、本発明を適用することで、画像処理装置１１（画像処理装置１１を備える装置）の操作性を向上させることが可能となる。
【０１１２】
なお、上述した実施の形態においては、動画像撮影モード、静止画像撮影モード、および再生モードの３つのモード間を遷移するとして説明したが、このうち２つのモード間のみを遷移する場合においても、本発明を適用することはできる。
【０１１３】
例えば、動画像を撮影する機能と静止画像を撮影する機能を有し、再生する機能を有さない装置の場合、動画像撮影ボタン２２が操作されたときに、動画像撮影モードに設定されていた場合、図６に示したフローチャートの処理が実行され、静止画像撮影モードまたは再生モードに設定されていた場合、図７に示したフローチャートの処理が実行され、静止画像撮影ボタン２３が操作されたときに、静止画像撮影モードに設定されていた場合、図８に示したフローチャートの処理が実行され、動画像撮影モードまたは再生モードに設定されていた場合、図９に示したフローチャートの処理が実行されるようにすれば良い。
【０１１４】
また、例えば、動画像を撮影する機能と再生する機能を有し、静止画像を撮影する機能を有していない装置の場合（従って、静止画像撮影ボタン２３が備えられていない装置の場合）、動画像撮影ボタン２２が操作されたときに、動画像撮影モードに設定されていた場合、図６に示したフローチャートの処理が実行され、再生撮影モードに設定されていた場合、図７に示したフローチャートの処理が実行されるようにすれば良い。
【０１１５】
また、例えば、静止画像を撮影する機能と再生する機能を有し、動画像を撮影する機能を有していない装置の場合（従って、動画像撮影ボタン２２が備えられていない装置の場合）、静止画像撮影ボタン２３が操作されたときに、静止画像撮影モードに設定されていた場合、図８に示したフローチャートの処理が実行され、再生撮影モードに設定されていた場合、図９に示したフローチャートの処理が実行されるようにすれば良い。
【０１１６】
このように、２つのモード間を遷移する場合においても、本発明を適用することが可能であり、本発明を適用することで、上記したような効果、すなわち、画像処理装置１１（画像処理装置１１を備える装置）の操作性を向上させることが可能となる。
【０１１７】
［記録媒体について］
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム格納媒体からインストールされる。
【０１１８】
コンピュータにインストールされ、コンピュータによって実行可能な状態とされるプログラムを格納するプログラム格納媒体は、図３に示したように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリなどよりなるパッケージメディアである記録媒体４１、または、プログラムが一時的もしくは永続的に格納されるROM６１や、ハードディスクなどにより構成される記憶部（不図示）である。プログラム格納媒体へのプログラムの格納は、必要に応じてルータ、モデムなどのインターフェースである入出力インターフェース６０を介して、ローカルエリアネットワーク、インターネット、デジタル衛星放送といった、有線または無線の通信媒体を利用して行われる。
【０１１９】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１２０】
なお、本発明の実施の形態は、上述した実施の形態に限定されるものではなく、本発明の要旨を逸脱しない範囲において種々の変更が可能である。
【図面の簡単な説明】
【０１２１】
【図１】スイッチの構成について説明するための図である。
【図２】本発明の画像処理装置の一実施の形態の外観の構成を示す図である。
【図３】画像処理装置の内部構成例を示す図である。
【図４】モードの遷移について説明するための図である。
【図５】画像処理装置の動作について説明するためのフローチャートである。
【図６】ステップＳ１４における処理の詳細を説明するフローチャートである。
【図７】ステップＳ１５における処理の詳細を説明するフローチャートである。
【図８】ステップＳ１７における処理の詳細を説明するフローチャートである。
【図９】ステップＳ１８における処理の詳細を説明するフローチャートである。
【符号の説明】
【０１２２】
１１  画像処理装置，  ２１  スイッチ，  ２２  動画像撮影ボタン，  ２３  静止画像撮影ボタン，  ４１  記録媒体，  ５１  媒体読み書き部，  ５２  撮影部，  ５３  入出力信号処理部，  ５４  符号復号化部，  ５５  記録再生用ワークメモリ，  ５６  表示部，  ５７  操作部，  ５８  記録再生制御部，  ５９  プロセッサ，  ６０  入出力インターフェース，  ６１  ＲＯＭ，  ６２  ＲＡＭ
【図１】
2007028369.tif 000003
【図２】
2007028369.tif 000004
【図３】
2007028369.tif 000005
【図４】
2007028369.tif 000006
【図５】
2007028369.tif 000007
【図６】
2007028369.tif 000008
【図７】
2007028369.tif 000009
【図８】
2007028369.tif 000010
【図９】
2007028369.tif 000011